【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
有機または無機の発光性の化合物または組成物を含む、多孔質ＳｉＯｚフレーク（式中、０．７０≦ｚ≦２．０）。
【請求項２】
発光性の化合物または組成物が、クマリン、ベンゾクマリン、キサンテン、ベンゾ［ａ］キサンテン、ベンゾ［ｂ］キサンテン、ベンゾ［ｃ］キサンテン、フェノキサジン、ベンゾ［ａ］フェノキサジン、ベンゾ［ｂ］フェノキサジンおよびベンゾ［ｃ］フェノキサジン、ナフタルイミド、ナフトラクタム、アズラクトン、メチン、オキサジンおよびチアジン、ジケトピロロピロール、ペリレン、キナクリドン、ベンゾキサンテン、チオエピンドリン、ラクタムイミド、ジフェニルマレイミド、アセトアセトアミド、イミダゾチアジン、ベンズアントロン、ペリレンモノイミド、ペリレン、フタルイミド、ベンゾトリアゾール、ピリミジン、ピラジン、トリアゾール、ジベンゾフランおよびトリアジンから選択される蛍光性有機着色剤を含む請求項１記載の多孔質ＳｉＯｚフレーク。
【請求項３】
発光性の化合物がＳｉＯｚフレークに化学的に結合している、請求項１記載の多孔質ＳｉＯｚフレーク。
【請求項４】
発光性の化合物が、有機発光性化合物であり、
式
【化１７】
2008506801.tif 000001
の基−Ｘ1−（Ｘ2）Ｘ2−Ｘ3−を介してＳｉＯｚフレークに化学的に結合している、請求項３記載の多孔質ＳｉＯｚフレーク：
〔式中、式
【化１８】
2008506801.tif 000002
は有機発光性化合物、Ｘ２は０または１、
Ｘ3は基−Ｓｉ（ＯＲ113）2Ｏ−（式中、Ｒ113はＨ、または−ＯＳｉ−である。）、
Ｘ2は、スペーサー基、特に、
−（ＣＨＲ′）ｐ−
−｛（ＣＨＲ′）ｑ−Ｏ−（ＣＨＲ′）ｒ｝ｓ−
−｛（ＣＨＲ′）ｑ−Ｓ−（ＣＨＲ′）ｒ｝−
−｛（ＣＨＲ′）ｑ−ＮＲ′−（ＣＨＲ′）ｒ｝ｓ−
−｛（ＣＨＲ′）ｑ−Ｓｉ（Ｒ′）2−（ＣＨＲ′）ｒ｝ｓ−
−｛（ＣＨＲ′）ｑ−（ＣＨ＝ＣＨ）−（ＣＨＲ′）ｒ｝ｓ−
−｛（ＣＨＲ′）ｑ−Ａｒ−（ＣＨＲ′）ｒ｝−
−｛（ＣＨＲ′）ｑ−ＣＯ−ＮＲ′−（ＣＨＲ′）ｒ｝ｓ−
−｛（ＣＨＲ′）ｑ−ＣＯ−Ａｒ−ＮＲ′−（ＣＨＲ′）ｒ｝ｓ−、
（ただし、Ｒ′は、場合によりスルフォン酸塩で置換されていてもよい水素、Ｃ1−4アルキルまたはアリール、Ａｒは、場合によりスルフォン酸塩で置換されるフェニレン、ｐは１〜２０、好ましくは１〜１０、ｑは１〜１０、ｒは１〜１０、およびｓは１〜５である。）、
Ｘ1は、−ＮＲ114Ｃ（＝Ｏ）−、−ＯＣ（＝Ｏ）−、−ＳＣ（＝Ｏ）−、−Ｃ（Ｒ114'）＝Ｎ−ＮＨ−、−ＳＯ2−ＣＨ2−ＣＨ2−Ｏ−、−ＳＯ2−ＣＨ2−ＣＨ2−Ｓ−、−ＳＯ2−ＣＨ2−ＣＨ2−ＮＨ−、
式
【化１９】
2008506801.tif 000003
（式中、Ｒ115はクロロ、置換されているアミノ基、ＯＨ、またはＯＲ116、ただしＲ116はＣ1−4アルキル；−Ｃ（＝Ｏ）ＮＨ−、−Ｓ−ＣＨ2−Ｃ（＝Ｏ）−ＮＨ−、−Ｏ−ＣＨ2−Ｃ（＝Ｏ）−ＮＨ−、または−ＮＨ−ＣＨ2−Ｃ（＝Ｏ）−ＮＨ−、−ＮＨ−Ｃ（＝Ｓ）−ＮＨ−、−Ｓ−Ｃ（＝Ｓ）−ＮＨ−、−ＮＨ−Ｃ（＝Ｏ）−ＮＨ−、−Ｓ−Ｃ（＝Ｏ）−ＮＨ−、−Ｏ−Ｃ（＝Ｏ）−ＮＨ−、−ＮＲ114−、−Ｓ−、または−Ｏ−、ただし、Ｒ114は水素、またはＣ1−8アルキル、Ｒ114’は水素、またはＣ1−8アルキルである）〕。
【請求項５】
発光性着色剤が、無機発光性化合物であり、
式
【化２０】
2008506801.tif 000004
の基−Ｘ4−（Ｘ2）Ｘ2−Ｘ3−を介してＳｉＯｚフレークに化学的に結合している請求項３記載の多孔質ＳｉＯｚフレーク：
〔式中、Ｘ２は０または１、
【化２１】
2008506801.tif 000005
は、部分的な構造Ｍ−Ｌ−（式中、Ｍは金属、特に希土類金属、さらに特にテルビウム（Ｔｂ）、プラセオジム（Ｐｒ）、ユーロピウム（Ｅｕ）、ランタン（Ｌａ）およびジスプロジウム（Ｄｙ）、またＬはＸ4に化学的に結合しているリガンドである）を有する無機発光性錯体化合物、または、
【化２２】
2008506801.tif 000006
は、部分的な構造
【化２３】
2008506801.tif 000007
（式中、Ｃ−ＮはＸ4に化学的に結合したシクロメタル化リガンドであり、Ｍ′は原子量が４０を超える、好ましくは７２を超える金属である。）を有する無機発光性錯体化合物であり、
Ｘ3は、基−Ｓｉ（ＯＲ113）2Ｏ−、ただしＲ113はＨ、または−ＯＳｉ−である、
Ｘ2は、スペーサー基、特に、
−（ＣＨＲ′）ｐ−
−｛（ＣＨＲ′）ｑ−Ｏ−（ＣＨＲ′）ｒ｝ｓ−
−｛（ＣＨＲ′）ｑ−Ｓ−（ＣＨＲ′）ｒ｝−
−｛（ＣＨＲ′）ｑ−ＮＲ′−（ＣＨＲ′）ｒ｝ｓ−
−｛（ＣＨＲ′）ｑ−Ｓｉ（Ｒ′）2−（ＣＨＲ′）ｒ｝ｓ−
−｛（ＣＨＲ′）ｑ−（ＣＨ＝ＣＨ）−（ＣＨＲ′）ｒ｝ｓ−
−｛（ＣＨＲ′）ｑ−Ａｒ−（ＣＨＲ′）ｒ｝−
−｛（ＣＨＲ′）ｑ−ＣＯ−ＮＲ′−（ＣＨＲ′）ｒ｝ｓ−
−｛（ＣＨＲ′）ｑ−ＣＯ−Ａｒ−ＮＲ′−（ＣＨＲ′）ｒ｝ｓ−、
（ただし、Ｒ′は、場合によりスルフォン酸塩で置換されていてもよい水素、Ｃ1−4アルキルまたはアリール、Ａｒは、場合によりスルフォン酸塩で置換されているフェニレン、ｐは１〜２０、好ましくは１〜１０、ｑは１〜１０、ｒは１〜１０、およびｓは１〜５である）であり、
Ｘ4は、−ＮＲ114Ｃ（＝Ｏ）−、−ＯＣ（＝Ｏ）−、−ＳＣ（＝Ｏ）−、−Ｃ（Ｒ114’）＝Ｎ−ＮＨ−、−ＳＯ2−ＣＨ2−ＣＨ2−Ｏ−、−ＳＯ2−ＣＨ2−ＣＨ2−Ｓ−、−ＳＯ2−ＣＨ2−ＣＨ2−ＮＨ−、
【化２４】
2008506801.tif 000008
（式中、Ｒ115はクロロ、置換されているアミノ基、ＯＨ、またはＯＲ116、ただしＲ116はＣ1−4アルキル、−Ｃ（＝Ｏ）ＮＨ−、−Ｓ−ＣＨ2−Ｃ（＝Ｏ）−ＮＨ−、−Ｏ−ＣＨ2−Ｃ（＝Ｏ）−ＮＨ−、または−ＮＨ−ＣＨ2−Ｃ（＝Ｏ）−ＮＨ−、−ＮＨ−Ｃ（＝Ｓ）−ＮＨ−、−Ｓ−Ｃ（＝Ｓ）−ＮＨ−、−ＮＨ−Ｃ（＝Ｏ）−ＮＨ−、−Ｓ−Ｃ（＝Ｏ）−ＮＨ−、−Ｏ−Ｃ（＝Ｏ）−ＮＨ−、−ＮＲ114−、−Ｓ−、または−Ｏ−、ただしＲ114は水素、またはＣ1−8アルキル、Ｒ114’は水素、またはＣ1−8アルキルである）〕。
【請求項６】
発光性の化合物が無機蛍光体である、請求項１記載の多孔質ＳｉＯｚフレーク。
【請求項７】
有機発光性化合物が、ジスチリルベンゼン、ジスチリルビフェニル、ジビニルスチルベン、トリアジニルアミノスチルベン、スチルベニル−２ｈ−トリアゾール、ベンズオキサゾール、フラン、ベンゾ［ｂ］フラン、およびベンズイミダゾール、１，３−ジフェニル−２−ピラゾリン、クマリン、ナフタルイミド、および１，３，５−トリアジン-２-イル誘導体から選択される蛍光増白剤である、請求項１または３記載の多孔質ＳｉＯｚフレーク（式中、０．７０≦ｚ≦２．０）。
【請求項８】
高分子量の有機材料、および高分子量の有機材料に対して０．０１〜８０重量％の請求項１記載の発光性ＳｉＯｚフレークを含む組成物。
【請求項９】
化粧用調整物または化粧用配合物であって、化粧用調整物または化粧用配合物の全重量に対して０．０００１〜９０重量％の請求項１記載の発光性ＳｉＯｚフレーク、および１０〜９９．９９９９％の化粧品用に好適なキャリア材料、を含む化粧用調整物または化粧用配合物。
【請求項１０】
請求項１記載の有機または無機の発光性の化合物または組成物を含む、多孔質ＳｉＯｚフィルムを含む基材。